(57)【要約】【課題】特定の場所における宣伝広告を車両内において有効に行うこと。【解決手段】一般広告データを記憶する一般広告データ格納部２と、車両が走行する路線に関連する駅に対応付けられた特定広告データを記憶する特定広告データ格納部３と、車両の状態を特定する車両状態情報を取得する車両状態情報取得部４と、車両状態情報取得部４より車両状態情報を取得し、取得された車両状態情報により、車両が予め定められた状態であると判断した場合には、路線において車両が次に停まる駅に対応付けられた特定広告データを、特定広告データ格納部３より取得し、取得された特定広告データの出力を、一般広告データの出力から切り替えて、行う広告表示制御部５と、を備える表示制御装置１を提供する。【選択図】図１
2013061361.tif 000002
【特許請求の範囲】
【請求項１】
一般広告データを記憶する一般広告データ格納部と、
車両が走行する路線に関連する第１の場所に対応付けられた特定広告データを記憶する特定広告データ格納部と、
前記車両の状態を特定する車両状態情報を取得する車両状態情報取得部と、
前記車両状態情報取得部より前記車両状態情報を取得し、取得された前記車両状態情報により、前記車両が予め定められた状態であると判断した場合には、前記路線において前記車両が次に至る第２の場所を特定し、特定された前記第２の場所を含む前記第１の場所に対応付けられた前記特定広告データを、前記特定広告データ格納部より取得し、前記一般広告データの出力から、取得した前記特定広告データの出力に切り替える広告切り替え処理を行う広告表示制御部と、を備えることを特徴とする表示制御装置。
【請求項２】
前記特定広告データ格納部は、
前記特定広告データを記憶する特定広告データ格納メモリ部と、
前記特定広告データを識別するデータＩＤ、及び、前記第１の場所、を対応付けた広告表示条件情報を記憶する広告表示条件情報格納メモリ部と、
前記広告表示制御部より特定された前記第２の場所を示す情報を含む確認要求を受け取り、前記広告表示条件情報に、受け取られた前記確認要求に含まれる前記第２の場所を含む前記第１の場所に対応付けられた前記データＩＤがある場合には、受け取られた前記確認要求に含まれる前記第２の場所を含む前記第１の場所に対応付けられた前記データＩＤを含む特定広告データ有応答を、前記広告表示制御部に与える広告表示条件情報制御部と、を備えること
を特徴とする請求項１に記載の表示制御装置。
【請求項３】
前記広告表示制御部は、
前記車両の路線、前記路線に関連する前記第２の場所、及び、前記第２の場所を含む予め定められた範囲に前記車両がある時刻、を対応付けた経路情報を記憶する経路情報格納部と、
前記車両状態情報が、前記車両が予め定められた状態であることを検知するために用いられる閾値を記憶する表示期間検知用情報格納部と、
前記一般広告データと、前記特定広告データと、の間で出力を切り替える切り替え部と、
前記車両状態情報取得部より取得した前記車両状態情報が示す値と、前記閾値と、を比較することにより、前記車両が予め定められた状態であると判断した場合には、前記経路情報から前記車両が次に至る前記第２の場所を特定し、特定された前記第２の場所を含む確認要求を生成し、生成された前記確認要求を前記広告表示条件情報制御部に与える処理、
前記広告表示条件情報制御部から前記特定広告データ有応答を受け取ると、受け取られた前記特定広告データ有応答に含まれている前記データＩＤで識別される前記特定広告データを、前記特定広告データ格納メモリ部から出力させる処理、
前記切り替え部に対して、前記一般広告データと、前記特定広告データと、の間で出力を切り替えさせる切り替え信号を出力する処理、を行う読み出し制御部と、を備えること
を特徴とする請求項２に記載の表示制御装置。
【請求項４】
前記読み出し制御部は、
前記広告表示条件情報制御部から前記特定広告データ有応答を受け取った場合に、前記切り替え部が、前記一般広告データを出力する状態であるときには、前記切り替え部に対して、前記切り替え信号を出力すること
を特徴とする請求項３に記載の表示制御装置。
【請求項５】
前記切り替え部は、
前記一般広告データを記憶する第１バッファ部と、
前記特定広告データを記憶する第２バッファ部と、
前記第１バッファ部から読み出された前記一般広告データの出力と、前記第２バッファ部から読み出された前記特定広告データの出力と、の間で切り替えを行う切り替え処理部と、
前記切り替え処理部の制御を行う切り替え制御部と、を備え、
前記切り替え制御部は、前記読み出し制御部より前記切り替え信号を受けた場合には、前記第１バッファ部の前記一般広告データの出力、又は、前記第２バッファ部の前記特定広告データの出力、が完了してから、前記切り替え処理部に対して出力を切り替えるように制御すること
を特徴とする請求項４に記載の表示制御装置。
【請求項６】
前記切り替え制御部は、
前記第２バッファ部に記憶されている前記特定広告データの出力が完了した場合であって、未だ前記車両が予め定められた状態にあるときには、予め定められたデータを出力するよう前記切り替え処理部を制御すること
を特徴とする請求項５に記載の表示制御装置。
【請求項７】
前記予め定められデータは、前記第２バッファ部に記憶されている前記特定広告データから抽出されたデータであること
を特徴とする請求項６に記載の表示制御装置。
【請求項８】
広告データ及び前記広告表示条件情報を受信する受信部をさらに備え、
前記受信部は、前記広告表示条件情報に含まれる前記データＩＤで識別される前記広告データは、前記特定広告データとして前記特定広告データ格納部に記憶させ、前記広告表示条件情報に含まれる前記データＩＤで識別されない前記広告データは、前記一般広告データとして前記一般広告データ格納部に記憶させる処理を行うこと
を特徴とする請求項２から７の何れか一項に記載の表示制御装置。
【請求項９】
前記特定広告データは、さらに時間に対応付けられており、
前記広告表示制御部は、前記広告切り替え処理として、
前記車両状態情報取得部より前記車両状態情報を取得し、取得された前記車両状態情報により、前記車両が予め定められた状態であると判断した場合には、前記路線において前記車両が次に至る第２の場所を特定し、特定された前記第２の場所を含む前記第１の場所に対応付けられ、かつ、前記車両状態情報に含まれる走行時刻を含む前記時間に対応づけられた前記特定広告データを、前記特定広告データ格納部より取得し、前記一般広告データの出力から、取得された前記特定広告データの出力に切り替えること
を特徴とする請求項１に記載の表示制御装置。
【請求項１０】
前記特定広告データ格納部は、
前記特定広告データを記憶する特定広告データ格納メモリ部と、
前記特定広告データを識別するデータＩＤ、前記第１の場所、及び、前記時間、を対応付けた広告表示条件情報を記憶する広告表示条件情報格納メモリ部と、
前記広告表示制御部より特定された前記第２の場所を示す情報及び前記走行時刻を含む確認要求を受け取り、前記広告表示条件情報に、受け取られた前記確認要求に含まれる前記第２の場所を含む前記第１の場所に対応付けられ、かつ、受け取られた前記確認要求に含まれる前記走行時刻を含む前記時間に対応付けられた前記データＩＤがある場合には、受け取られた前記確認要求に含まれる前記第２の場所を含む前記第１の場所に対応付けられ、かつ、受け取られた前記確認要求に含まれる前記走行時刻を含む前記時間に対応付けられた前記データＩＤを含む特定広告データ有応答を前記広告表示制御部に与える広告表示条件情報制御部と、を備えること
を特徴とする請求項９に記載の表示制御装置。
【請求項１１】
前記広告表示制御部は、
前記車両の路線、前記路線に関連する前記第２の場所、及び、前記第２の場所を含む予め定められた範囲に前記車両がある時刻、を対応付けた経路情報を記憶する経路情報格納部と、
前記車両状態情報が、前記車両が予め定められた状態であることを検知するために用いられる閾値を記憶する表示期間検知用情報格納部と、
前記一般広告データと、前記特定広告データと、の間で出力を切り替える切り替え部と、
前記車両状態情報取得部より取得した前記車両状態情報が示す値と、前記閾値と、を比較することにより、前記車両が予め定められた状態であると判断した場合には、前記経路情報から前記車両が次に至る前記第２の場所を特定し、特定した前記第２の場所及び前記走行時刻を含む確認要求を生成し、生成された前記確認要求を前記広告表示条件情報制御部に与える処理、
前記広告表示条件情報制御部から前記特定広告データ有応答を受け取ると、受け取られた前記特定広告データ有応答に含まれている前記データＩＤで識別される前記特定広告データを、前記特定広告データ格納メモリ部から出力させる処理、
前記切り替え部に対して、前記一般広告データと、前記特定広告データと、の間で出力を切り替えさせる切り替え信号を出力する処理、を行う読み出し制御部と、を備えること
を特徴とする請求項１０に記載の表示制御装置。
【請求項１２】
前記第１の場所は駅、駅と他の駅との間の区間又は路線であり、前記第２の場所は駅、であること
を特徴とする請求項１から１０の何れか一項に記載の表示制御装置。
【請求項１３】
一般広告データを記憶する一般広告データ格納部と、
車両が走行する路線に関連する第１の場所に対応付けられた特定広告データを記憶する特定広告データ格納部と、
前記車両の状態を特定する車両状態情報を取得する車両状態情報取得部と、
広告表示制御部と、を備える表示制御装置が行う表示制御方法であって、
前記広告表示制御部が、前記車両状態情報取得部より前記車両状態情報を取得し、取得された前記車両状態情報により、前記車両が予め定められた状態であると判断した場合には、前記路線において前記車両が次に至る第２の場所を特定し、特定された前記第２の場所を含む前記第１の場所に対応付けられた前記特定広告データを、前記特定広告データ格納部より取得する過程と、
前記広告表示制御部が、前記一般広告データの出力から、取得された前記特定広告データの出力に切り替える広告切り替え処理を行う過程と、を有すること
を特徴とする表示制御方法。
【発明の詳細な説明】
【技術分野】
【０００１】
本発明は、車両内において表示する広告データを制御する技術に関する。
【背景技術】
【０００２】
交通機関の車両内には、交通機関の路線案内、官公庁からの案内、一般企業の宣伝広告等が紙媒体を介して表示されていたが、近年では、液晶ディスプレイ等の表示部に、路線案内や宣伝広告等が表示されるようになっている。
例えば、特許文献１には、停車駅の到着前後には、乗り換え情報等の電車案内表示を表示部に表示し、停車駅の到着前後以外の時間には、宣伝広告表示を表示部に表示する技術が記載されている。
【先行技術文献】
【特許文献】
【０００３】
【特許文献１】特開平７−１６５０７８号公報（段落００１９−００２８、図１、図６）
【発明の概要】
【発明が解決しようとする課題】
【０００４】
しかしながら、特許文献１に記載の技術では、停車駅の到着前後には電車案内表示が表示部に表示されるため、広告提供者は、停車駅等の停車場所や停車場所の近辺において、これらの場所に関連した宣伝広告を行うことができず、他方、乗客は、停車場所や停車場所の近辺において、これらの場所に関連した宣伝広告を見ることができない。従って、広告提供者及び乗客の双方にとって、停車場所や停車場所の近辺における有効な宣伝広告の機会が失われている。
この点、特定の地域で行われるイベント等は、イベントが行われる地域を車両が走行する際に、その車両内において宣伝広告を行うことにより、宣伝広告の効果を有効に発揮することができる場合がある。
【０００５】
そこで、本発明は、特定の場所における宣伝広告を車両内において効果的に行うことができる技術を提供することを目的とする。
【課題を解決するための手段】
【０００６】
以上の課題を解決するため、本発明に係る表示制御装置は、
一般広告データを記憶する一般広告データ格納部と、
車両が走行する路線に関連する第１の場所に対応付けられた特定広告データを記憶する特定広告データ格納部と、
前記車両の状態を特定する車両状態情報を取得する車両状態情報取得部と、
前記車両状態情報取得部より前記車両状態情報を取得し、取得された前記車両状態情報により、前記車両が予め定められた状態であると判断した場合には、前記路線において前記車両が次に至る第２の場所を特定し、特定された前記第２の場所を含む前記第１の場所に対応付けられた前記特定広告データを、前記特定広告データ格納部より取得し、前記一般広告データの出力から、取得した前記特定広告データの出力に切り替える広告切り替え処理を行う広告表示制御部と、を備えることを特徴とする。
【発明の効果】
【０００７】
以上のように、本発明によれば、特定の場所における宣伝広告を車両内において効果的に行うことができる。
【図面の簡単な説明】
【０００８】
【図１】実施の形態１及び実施の形態２に係る表示制御装置を示す概略的なブロック図。
【図２】実施の形態１における一般広告データ格納部を示す概略的なブロック図。
【図３】実施の形態１における特定広告データ格納部を示す概略的なブロック図。
【図４】実施の形態１における広告表示制御部を示す概略的なブロック図。
【図５】実施の形態１において、特定広告データ表示期間を検知する具体例を示す概略図。
【図６】（Ａ）及び（Ｂ）は、実施の形態１における、特定広告データ表示期間を検知する変形例を示す概略図。
【図７】実施の形態１における切り替え部を示す概略的なブロック図。
【図８】実施の形態１において、読み出し制御部が車両状態情報により特定広告データ表示期間であると判断した場合の処理を示すフローチャート。
【図９】（Ａ）及び（Ｂ）は、実施の形態１において、切り替えられる広告データを説明するための概略図。
【図１０】実施の形態２における特定広告データ格納部を示す概略的なブロック図。
【図１１】実施の形態２における広告表示制御部を示す概略的なブロック図。
【図１２】実施の形態２における切り替え部を示す概略的なブロック図。
【図１３】（Ａ）及び（Ｂ）は、実施の形態２において、切り替えられる広告データを説明するための概略図。
【図１４】実施の形態３に係る表示制御装置を示す概略的なブロック図。
【発明を実施するための形態】
【０００９】
実施の形態１．
図１は、本発明における実施の形態１に係る表示制御装置１を示す概略的なブロック図である。図示するように、表示制御装置１は、一般広告データ格納部２と、特定広告データ格納部３と、車両状態情報取得部４と、広告表示制御部５と、入力端子６ａ，６ｂ，６ｃ，６ｄ，６ｅ，６ｆと、出力端子７と、を有する。
【００１０】
図２は、一般広告データ格納部２を示す概略的なブロック図である。図示するように、一般広告データ格納部２は、一般広告データ格納メモリ部２０と、入力端子２１ａ，２１ｂと、出力端子２２と、を有する。
【００１１】
入力端子２１ａからは、一般広告データが入力され、入力された一般広告データは、一般広告データ格納メモリ部２０に記憶される。ここで、一般広告データは、特定の場所や特定の時間に表示することが定められていない広告データである。
【００１２】
入力端子２１ｂからは、一般広告データ読み出し要求が入力される。そして、一般広告データ格納メモリ部２０から一般広告データが読み出されて、読み出された一般広告データが出力端子２２から出力される。
【００１３】
図３は、特定広告データ格納部３を示す概略的なブロック図である。図示するように、特定広告データ格納部３は、特定広告データ格納メモリ部３０と、広告表示条件情報格納メモリ部３１と、広告表示条件情報制御部３２と、入力端子３３ａ，３３ｂ，３３ｃ，３３ｄと、出力端子３４ａ，３４ｂと、を有する。
【００１４】
入力端子３３ａからは、特定広告データが入力され、入力された特定広告データは、特定広告データ格納メモリ部３０に記憶される。ここで、特定広告データは、特定の場所や特定の時間に表示することが定められた広告データである。また、各々の特定広告データには、各々の特定広告データを識別するための識別情報であるデータＩＤが対応付けられている。
【００１５】
入力端子３３ｂからは、特定広告データ読み出し要求が入力され、入力された特定広告データ読み出し要求に対応する特定広告データが特定広告データ格納メモリ部３０から読み出され、読み出された特定広告データが出力端子３４ａから出力される。ここで、特定広告データ読み出し要求には、データＩＤが含まれており、特定広告データ格納メモリ部３０からは、このデータＩＤに対応付けられている特定広告データが読み出される。
【００１６】
入力端子３３ｃからは、広告表示条件情報が入力され、入力された広告表示条件情報は、広告表示条件情報格納メモリ部３１に記憶される。
ここで、広告表示条件情報は、データＩＤと、このデータＩＤで識別される特定広告データを表示する時間を特定する情報と、このデータＩＤで識別される特定広告データが関連する場所を特定する情報と、が対応付けられている。
【００１７】
本実施の形態では、特定広告データを表示する時間を特定する情報として、特定広告データの表示を開始する年月日時刻と、特定広告データの表示を終了する年月日時刻と、を特定する情報が対応付けられている。また、特定広告データが関連する場所を特定する情報として、駅、路線、又は、路線における特定の区間（始点となる駅及び終点となる駅）、を特定する情報が対応付けられている。
【００１８】
なお、一般広告データ及び特定広告データは、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  ｓｅｃｔｏｒ）勧告Ｈ．２６ｘやＩＳＯ／ＩＥＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｔｅｃｈｎｉｃａｌ  Ｃｏｍｍｉｓｓｉｏｎ）標準ＭＰＥＧ（Ｍｏｖｉｎｇ  Ｐｉｃｔｕｒｅ  Ｅｘｐｅｒｔｓ  Ｇｒｏｕｐ）等の符号化データでもよいし、このような符号化データを復号したものでもよい。これらのデータが、復号前の符号化データであれば、広告表示制御部５に復号処理部を設けることで、復号して出力端子７から出力することができる。また、一般広告データ及び特定広告データは、ＪＰＥＧ（Ｊｏｉｎｔ  Ｐｈｏｔｏｇｒａｐｈｉｃ  Ｅｘｐｅｒｔｓ  Ｇｒｏｕｐ）等の静止画像であってもよい。
【００１９】
入力端子３３ｄからは、経路情報が入力され、広告表示条件情報制御部３２において保持される。また、入力端子３３ｄからは、時刻及び場所を特定する情報を有する確認要求が入力され、広告表示条件情報制御部３２は、経路情報を参照することにより、入力された確認要求に含まれる時刻及び場所に対応付けられているデータＩＤが、広告表示条件情報に含まれているか否かを確認する。
ここで、確認要求には、時刻及び場所を特定する情報として、車両の走行時刻及び車両が次に停まる駅を特定する情報が含まれる。
【００２０】
そして、広告表示条件情報制御部３２は、入力された確認要求に含まれる時刻及び場所、をそれぞれ含む時間及び場所に対応付けられているデータＩＤが、広告表示条件情報に含まれている場合には、この対応付けられているデータＩＤを特定する情報を含む特定広告データ有応答を出力端子３４ｂから出力する。
一方、広告表示条件情報制御部３２は、入力された確認要求に含まれる時刻及び場所、をそれぞれ含む時間及び場所に対応付けられているデータＩＤが、広告表示条件情報に含まれていない場合には、特定広告データ無応答を出力端子３４ｂから出力する。
【００２１】
例えば、広告表示条件情報において、確認要求に含まれる、車両が次に停まる駅がデータＩＤに対応付けられている場合、経路情報を参照することで、確認要求に含まれる車両が次に停まる駅を含む区間がデータＩＤに対応付けられている場合、又は、経路情報を参照することで、確認要求に含まれる車両が次に停まる駅を含む路線がデータＩＤに対応付けられている場合、には、広告表示条件情報制御部３２は、入力された確認要求に含まれる場所、を含む場所に対応付けられているデータＩＤが、広告表示条件情報に含まれていると判断する。
【００２２】
図１に戻り、車両状態情報取得部４は、入力端子６ｆを介して、車両の走行時刻、車両の走行位置、車両の走行速度、車両の走行加速度等を、車両状態情報として取得する。このようにして取得された車両状態情報は、広告表示制御部５に出力される。
例えば、本実施の形態においては、車両の走行位置は、最後に停車した駅からの走行距離を用いているが、このような態様に限定されず、次に停車する駅までの走行距離、又は、ＧＰＳ等で取得された経度及び緯度、等を用いてもよい。
また、本実施の形態における車両の走行時刻は、例えば、車両に備えられている図示しない時刻計測手段から、所定の時点において取得された所定の時点における年、月、日及び時刻である。
【００２３】
図４は、広告表示制御部５を示す概略的なブロック図である。図示するように、広告表示制御部５は、経路情報格納部５０と、表示期間検知用情報格納部５１と、読み出し制御部５２と、切り替え部５３と、入力端子５４ａ，５４ｂ，５４ｃ，５４ｄ，５４ｅ，５４ｆと、出力端子５５ａ，５５ｂ，５５ｃ，５５ｄと、を有する。
【００２４】
入力端子５４ａからは、経路情報が入力され、入力された経路情報が経路情報格納部５０に記憶される。経路情報には、表示制御装置１が設置される車両の路線と、この路線に関連する場所と、この場所を含む予め定められた範囲に車両がある時刻と、この場所までの走行距離と、を特定する情報が含まれる。例えば、本実施の形態においては、経路情報には、表示制御装置１が設置される車両の路線と、この路線に含まれる駅と、この駅から発車する時刻と、この駅とこの駅の前の駅との間の走行距離と、を特定する情報が含まれる。
そして、経路情報格納部５０に記憶される経路情報は、読み出し制御部５２に出力される。
【００２５】
入力端子５４ｂからは、表示期間検知用情報が入力され、入力された表示期間検知用情報が表示期間検知用情報格納部５１に記憶される。本実施の形態においては、表示期間検知用情報には、後述する第１特定広告データ表示期間の時間、第２特定広告データ表示期間の時間、速度の閾値及び距離の閾値が含まれる。
そして、表示期間検知用情報格納部５１に記憶される表示期間検知用情報は、読み出し制御部５２に出力される。
【００２６】
読み出し制御部５２は、経路情報格納部５０より入力される経路情報を出力端子５５ａから出力する。ここで、出力端子５５ａは、図３の入力端子３３ｄに接続されている。
【００２７】
読み出し制御部５２は、入力端子５４ｃから入力される車両状態情報に基づいて、車両が予め定められた状態にあると判断した場合には、経路情報格納部５０より入力される経路情報を参照して、車両が走行中の路線において、車両が次に至るこの路線に関連する場所、及び、車両の走行時刻、を特定する情報を有する確認要求を生成する。そして、読み出し制御部５２は、生成した確認要求を出力端子５５ａから出力する。
例えば、本実施の形態においては、読み出し制御部５２は、車両状態情報及び経路情報を参照することにより、車両が次に停まる駅及び車両の走行時刻、を特定する情報を有する確認要求を生成し、生成した確認要求を出力する。なお、車両が次に停まる駅は、経路情報において、車両状態情報に含まれる走行時刻の後であって、最も近い発車時刻の駅を特定することにより特定することができる。また、経路情報に含まれる走行距離や発車時刻に基づいて、車両状態情報から読み出し制御部５２で、既に停まった駅や、未だ停まっていない駅を保持しておくこともできる。
ここで、実施の形態１では、読み出し制御部５２は、駅に停車する前の特定の期間と、駅から出発した後の特定の期間と、に確認要求を出力するようにしている。
【００２８】
例えば、本実施の形態においては、図５に示すように、読み出し制御部５２は、経路情報格納部５０より入力される経路情報に基づいて、入力端子５４ｃから入力される車両状態情報を参照することにより、車両が駅に到着する前の予め定められた時刻から始まる第１特定広告データ表示期間Ｔ１、又は、車両が駅から出発した時刻から始まる第２特定広告データ表示期間Ｔ２、に車両があると判断した場合には、車両が次に到着する駅と、車両の走行時刻と、を特定する情報を有する確認要求を出力端子５５ａから出力する。
なお、第２特定広告データ表示期間Ｔ２と、第１特定広告データ表示期間Ｔ１と、の間のＴ３は、一般広告データ表示期間である。
また、図５のｔｔａは、駅Ａからの出発時刻であり、ｔｔｂは、駅Ｂからの出発時刻である。
【００２９】
例えば、車両の走行時刻をｒｔ１、ある駅Ｎからの出発時刻をｔｔｎ、第１特定広告データ表示期間Ｔ１の時間をＴＤ１、第２特定広告データ表示期間Ｔ２の時間をＴＤ２、とする。この場合、読み出し制御部５２は、ある駅Ｎからの出発時刻ｔｔｎから第１特定広告データ表示期間Ｔ１の時間ＴＤ１を差し引いた時刻から、ある駅Ｎからの出発時刻ｔｔｎまでの間、に走行時刻ｒｔ１があるときに、車両が第１特定広告データ表示期間Ｔ１にあると判断する。即ち、下記の（１）式で示されるようなときに、読み出し制御部５２は、車両が第１特定広告データ表示期間Ｔ１にあると判断する。
ｔｔｎ−ＴＤ１≦ｒｔ１≦ｔｔｎ        （１）
また、読み出し制御部５２は、ある駅Ｎからの出発時刻ｔｔｎから、ある駅Ｎからの出発時刻ｔｔｎに第２特定広告データ表示期間Ｔ２の時間ＴＤ２を加算した時刻までの間、に走行時刻ｒｔ２があるときに、車両が第２特定広告データ表示期間Ｔ２にあると判断する。即ち、下記の（２）式で示されるようなときに、読み出し制御部５２は、車両が第２特定広告データ表示期間Ｔ２にあると判断する。
ｔｔｎ＜ｒｔ２≦ｔｔｎ＋ＴＤ２        （２）
【００３０】
ここでは、車両状態情報として、時間で第１特定広告データ表示期間Ｔ１及び第２特定広告データ表示期間Ｔ２を検出するようにしているが、このような態様に限定されず、例えば、図６（Ａ）に示すような、車両の走行速度で検出する方法や、図６（Ｂ）に示すような、車両の走行距離で期間Ｔ１及びＴ２を検出する方法を用いてもよい。
また、これらの方法を複数組み合わせて期間Ｔ１及びＴ２を検出するようにしてもよい。例えば、これらの検出方法を組み合わせた場合には、組み合わされた方法のうち、所定の数（例えば、１又は２）の方法で、第１特定広告データ表示期間Ｔ１又は第２特定広告データ表示期間Ｔ２が検出された場合に、読み出し制御部５２は、確認要求を出力端子５５ａから出力すればよい。
【００３１】
図６（Ａ）に示すように、例えば、読み出し制御部５２は、車両状態情報として取得する車両の走行速度が、閾値Ｖｔｈよりも速い状態から閾値Ｖｔｈよりも遅い状態になったときに、車両が第１特定広告データ表示期間Ｔ１にあると判断する。即ち、車両の走行速度をｒｖ１とした場合に、車両が減速している際に下記の（３）式で示されるような状態になったときに、読み出し制御部５２は、車両が第１特定広告データ表示期間Ｔ１にあると判断する。
Ｖｔｈ＞ｒｖ１≧０        （３）
【００３２】
また、読み出し制御部５２は、車両の走行速度ｒｖ２が０から閾値Ｖｔｈに至るまでの期間にあるときに、車両が第２特定広告データ表示期間Ｔ２にあると判断する。即ち、下記の（４）式で示されるようなときに、読み出し制御部５２は、車両が第２特定広告データ表示期間Ｔ２にあると判断する。
０＜ｒｖ２≦Ｖｔｈ        （４）
なお、駅への停車前（減速側）と駅からの発車後（加速側）で閾値Ｖｔｈが異なるようにしてもよい。
【００３３】
また、図６（Ｂ）に示すように、例えば、読み出し制御部５２は、車両状態情報として取得する車両の走行距離に基づいて、次に停車する駅までの距離が、閾値Ｄｔｈよりも短くなったときに、車両が第１特定広告データ表示期間Ｔ１にあると判断する。即ち、次に停車する駅までの距離をｒｄ１とした場合に、下記の（５）式で示されるような状態になったときに、読み出し制御部５２は、車両が第１特定広告データ表示期間Ｔ１にあると判断する。
Ｄｔｈ＞ｒｄ１≧０        （５）
【００３４】
また、読み出し制御部５２は、車両の走行距離が０から閾値Ｄｔｈに至るまでの期間にあるときに、車両が第２特定広告データ表示期間Ｔ２にあると判断する。即ち、車両の走行距離ｒｄ２が下記の（６）式で示されるようなときに、読み出し制御部５２は、車両が第２特定広告データ表示期間Ｔ２にあると判断する。
０＜ｒｄ２≦Ｄｔｈ        （６）
なお、駅への停車前と駅からの発車後で閾値Ｄｔｈが異なるようにしてもよい。
【００３５】
図４に戻り、読み出し制御部５２は、以上のようにして、第１特定広告データ表示期間Ｔ１及び第２特定広告データ表示期間Ｔ２にあると判断した場合には、経路情報格納部５０から入力される経路情報を参照することにより、車両が次に停車する駅を特定し、特定した駅と、車両状態情報取得部４（図１参照）より取得される車両の走行時刻と、を特定する情報を含む確認要求を生成する。そして、生成した確認要求を出力端子５５ａから出力する。
例えば、読み出し制御部５２は、車両状態情報取得部４より取得される車両の走行時刻、車両の走行距離、等から、経路情報格納部５０に格納されている経路情報を参照することで、次に停車する駅を特定することができる。
【００３６】
読み出し制御部５２は、入力端子５４ｄを介して、特定広告データ有応答を受信した場合には、受信した特定広告データ有応答に含まれているデータＩＤを含む特定広告データ読み出し要求を、出力端子５５ｃから出力する。
ここで、入力端子５４ｄは、図３の出力端子３４ｂに接続されており、出力端子５５ｃは、図３の入力端子３３ｂに接続されている。
【００３７】
読み出し制御部５２は、切り替え部５３において、一般広告データを出力する状態か、特定広告データを出力する状態か、を特定する切り替え情報を保持している。
読み出し制御部５２は、入力端子５４ｄを介して、特定広告データ有応答を受信した場合には、切り替え情報を参照して、切り替え部５３が一般広告データを出力する状態の場合には、切り替え部５３に対して、切り替え信号を出力する。そして、読み出し制御部５２は、切り替え部５３の状態が特定広告データを出力する状態となるように切り替え情報を更新する。
【００３８】
また、読み出し制御部５２は、入力端子５４ｄを介して、特定広告データ無応答を受信した場合には、一般広告データ読み出し要求を、出力端子５５ｂから出力する。ここで、出力端子５５ｂは、図２の入力端子２１ｂに接続されている。
【００３９】
さらに、読み出し制御部５２は、入力端子５４ｄを介して、特定広告データ無応答を受信した場合には、切り替え情報を参照して、切り替え部５３が特定広告データを出力する状態の場合には、切り替え部５３に対して、切り替え信号を出力する。
そして、読み出し制御部５２は、切り替え部５３の状態が一般広告データを出力する状態となるように切り替え情報を更新する。
【００４０】
また、読み出し制御部５２は、第２特定広告データ表示期間Ｔ２が経過した場合には、切り替え情報を参照して、切り替え部５３が特定広告データを出力する状態の場合には、切り替え部５３に対して、切り替え信号を出力する。
そして、読み出し制御部５２は、切り替え部５３の状態が一般広告データを出力する状態となるように切り替え情報を更新する。
【００４１】
図７は、切り替え部５３を示す概略的なブロック図である。図示するように、切り替え部５３は、第１バッファ部５３ａと、第２バッファ部５３ｂと、切り替え処理部５３ｃと、切り替え制御部５３ｄと、入力端子５３ｅ−１，５３ｅ−２，５３ｅ−３と、出力端子５３ｆと、を備える。
【００４２】
入力端子５３ｅ−１からは、一般広告データが入力され、入力された一般広告データは、第１バッファ部５３ａに格納される。ここで、入力端子５３ｅ−１は、図４の入力端子５４ｅに接続されており、入力端子５４ｅは、図２の出力端子２２に接続されている。
入力端子５３ｅ−２からは、特定広告データが入力され、入力された特定広告データは、第２バッファ部５３ｂに格納される。ここで、入力端子５３ｅ−２は、図４の入力端子５４ｆに接続されており、入力端子５４ｆは、図３の出力端子３４ａに接続されている。
入力端子５３ｅ−３からは、読み出し制御部５２より出力された切り替え信号が入力され、入力された切り替え信号は、切り替え制御部５３ｄに与えられる。
出力端子５３ｆからは、切り替え処理部５３ｃより出力された一般広告データ又は特定広告データが出力される。出力端子５３ｆは、図４の出力端子５５ｄに接続されている。
第１バッファ部５３ａは、入力端子５３ｅ−１から入力される一般広告データを記憶する。
第２バッファ部５３ｂは、入力端子５３ｅ−２から入力される特定広告データを記憶する。
【００４３】
切り替え処理部５３ｃは、切り替え制御部５３ｄからの指示に応じて、データの読み出し先を第１バッファ部５３ａ及び第２バッファ部５３ｂの間で切り替える。
そして、切り替え処理部５３ｃは、第１バッファ部５３ａ又は第２バッファ部５３ｂから読み出した一般広告データ又は特定広告データを、出力端子５３ｆに出力する。
【００４４】
切り替え制御部５３ｄは、第１バッファ部５３ａ、第２バッファ部５３ｂ及び切り替え処理部５３ｃを制御する。
【００４５】
例えば、切り替え制御部５３ｄは、読み出し制御部５２からの切り替え信号に応じて、データの読み出し先を第１バッファ部５３ａ及び第２バッファ部５３ｂの間で切り替えるように切り替え処理部５３ｃに指示を出す。
【００４６】
ここで、切り替え制御部５３ｄは、一般広告データ及び特定広告データを出力している際に、読み出し制御部５２から切り替え信号を受けた場合には、出力中のデータの出力が完了してから、データの読み出し先の切り替え指示を行う。
さらに、切り替え制御部５３ｄは、特定広告データを出力している際に、切り替え信号を受けた場合には、第２バッファ部５３ｂにバッファリングされている特定広告データが読み出されてなくなってから、読み出し先の切り替えを行うように切り替え処理部５３ｃに切り替え指示を行う。
【００４７】
図１に戻り、入力端子６ａからは、一般広告データが入力され、入力された一般広告データは一般広告データ格納部２に送られる。なお、入力端子６ａは、図２の入力端子２１ａに接続されている。
入力端子６ｂからは、特定広告データが入力され、入力された一般広告データは特定広告データ格納部３に送られる。なお、入力端子６ｂは、図３の入力端子３３ａに接続されている。
入力端子６ｃからは、広告表示条件情報が入力され、入力された広告表示条件情報は特定広告データ格納部３に送られる。なお、入力端子６ｃは、図３の入力端子３３ｃに接続されている。
入力端子６ｄからは、経路情報が入力され、入力された経路情報は広告表示制御部５に送られる。なお、入力端子６ｄは、図４の入力端子５４ｂに接続されている。
入力端子６ｅからは、表示期間検知用情報が入力され、入力された表示期間検知用情報は広告表示制御部５に送られる。なお、入力端子６ｅは、図４の入力端子５４ａに接続されている。
入力端子６ｆからは、車両状態情報が入力され、入力された車両状態情報は車両状態情報取得部４に送られる。
【００４８】
出力端子７からは、広告表示制御部５より出力された一般広告データ又は特定広告データが出力される。なお、出力端子７は、図４の出力端子５５ｄに接続されている。
また、出力端子７には、図示しない表示装置が接続されており、出力端子７より出力される一般広告データ又は特定広告データに基づく映像又は画像は、表示装置で表示される。なお、この表示装置については、例えば、車両の客室内の任意の位置に設置される。
【００４９】
図８は、読み出し制御部５２が、車両状態情報から特定広告データ表示期間であると判断した場合の処理を示すフローチャートである。ここで、図８のフローチャートは、読み出し制御部５２が、車両状態情報から特定広告データ表示期間であると判断した場合に開始される。
【００５０】
まず、読み出し制御部５２は、車両状態情報に基づいて、特定広告データ表示期間であると判断した場合には、走行時刻及び次に停車する駅を特定した情報を含む確認要求を生成し、出力端子５５ａ（図４参照）から出力する（Ｓ１００）。
次に、読み出し制御部５２は、入力端末５４ｄ（図４参照）より特定広告データ有応答又は特定広告データ無応答が入力されたか否かを確認する（Ｓ１０１）。そして、読み出し制御部５２は、特定広告データ有応答又は特定広告データ無応答が入力された場合（ステップＳ１０１でＹｅｓ）には、ステップＳ１０２の処理に進む。
【００５１】
ステップＳ１０２では、読み出し制御部５２は、ステップＳ１００で送信した確認要求に含まれる走行時刻又は次に停車する駅に対応付けられた特定広告データがあるか否かを判断する。
ここで、読み出し制御部５２は、ステップＳ１０１で特定広告データ有応答が入力された場合には、このような特定広告データがあると判断し、ステップＳ１０１で特定広告データ無応答が入力された場合には、このような特定広告データがないと判断する。
そして、読み出し制御部５２は、このような特定広告データがあると判断した場合（ステップＳ１０２でＹｅｓ）には、ステップＳ１０３の処理に進み、このような特定広告データがないと判断した場合（ステップＳ１０２でＮｏ）には、ステップＳ１０５の処理に進む。
【００５２】
ステップＳ１０３では、読み出し制御部５２は、ステップＳ１０１で入力された特定広告データ有応答に含まれるデータＩＤを抽出し、抽出したデータＩＤを含む特定広告データ読み出し要求を生成し、生成した特定広告データ読み出し要求を出力端子５５ｃ（図４参照）から出力する。
そして、読み出し制御部５２は、自身で保持している切り替え情報を参照して、切り替え部５３が、既に、特定広告データを出力する状態になっているか否かを確認する（Ｓ１０４）。そして、読み出し制御部５２は、特定広告データを出力する状態になっていない場合（ステップＳ１０４でＮｏ）には、ステップＳ１０７の処理に進み、特定広告データを出力する状態になっている場合（ステップＳ１０４でＹｅｓ）には、処理を終了する。
【００５３】
ステップＳ１０５では、読み出し制御部５２は、自身で保持している切り替え情報を参照して、切り替え部５３が、既に、一般広告データを出力する状態になっているか否かを確認する。そして、読み出し制御部５２は、一般広告データを出力する状態になっていない場合（ステップＳ１０５でＮｏ）には、ステップＳ１０６の処理に進み、一般広告データを出力する状態になっている場合（ステップＳ１０５でＹｅｓ）には、処理を終了する。
ステップＳ１０６では、読み出し制御部５２は、一般広告データ読み出し要求を生成し、生成した一般広告データ読み出し要求を出力端子５５ｂ（図４参照）から出力する。
【００５４】
ステップＳ１０７では、読み出し制御部５２は、切り替え部５３に対して、切り替え信号を出力する。そして、読み出し制御部５２は、切り替え部５３の状態が、ステップＳ１０７で切り替え信号を送信した後の状態となるように、切り替え情報を更新する（Ｓ１０８）。
【００５５】
図９（Ａ）及び（Ｂ）は、実施の形態１において、切り替えられる広告データを説明するための概略図である。ここで、図９（Ａ）及び（Ｂ）では、駅Ａの発車時刻ｔｔａの前に、第１特定広告データ表示期間Ｔ１があり、駅Ａの発車時刻ｔｔａの後に、第２特定広告データ表示期間Ｔ２がある。
【００５６】
図９（Ａ）に示すように、本実施の形態では、第１特定広告データ表示期間Ｔ１では、駅Ａに対応付けられている特定広告データＡ−１，Ａ−２が、切り替え部５３で読み出され、出力端子５５ｄから出力される。第２特定広告データ表示期間Ｔ２では、駅Ａの次に停車する駅Ｂ（図示せず）に対応付けられている特定広告データＢ−１，Ｂ−２が、切り替え部５３で読み出され、出力端子５５ｄから出力される。
【００５７】
また、図９（Ｂ）に示すように、第１特定広告データ表示期間Ｔ１の検知時刻ｔ１が、遅れた場合でも、第１特定広告データ表示期間Ｔ１−１及び第２特定広告データ表示期間Ｔ２−１のように、これらの期間も後にずれて、駅Ａに対応付けられている特定広告データＡ−１，Ａ−２、及び、駅Ａの次に停車する駅Ｂ（図示せず）に対応付けられている特定広告データＢ−１，Ｂ−２が、切り替え部５３で読み出され、出力端子５５ｄから出力される。
【００５８】
以上のように、本実施の形態によれば、駅と他の駅との間の予め定められた時間、距離又は速度に車両がある場合において、次に停まる駅、次に停まる駅を含む区間、又は、次に停まる駅を含む路線、に対応付けられている広告データが、この広告データに対応付けられている時間において、出力されるため、これらの広告データに基づく映像又は画像が、これらの広告データが関連する場所及び時間に表示されるようになる。このため、これらの広告データによって、高い広告効果をあげることができる。
【００５９】
実施の形態２．
次に、本発明における実施の形態２について説明する。実施の形態２は、実施の形態１と比較して、図１に示すように、特定広告データ格納部３が特定広告データ格納部２３に、広告表示制御部５が広告表示制御部２５に変更になっているため、以下、これらに関連する事項について説明する。
【００６０】
図１０は、実施の形態２における特定広告データ格納部２３を示す概略的なブロック図である。図示するように、特定広告データ格納部２３は、特定広告データ格納メモリ部２３０と、広告表示条件情報格納メモリ部３１と、広告表示条件情報制御部３２と、入力端子３３ａ，３３ｂ，３３ｃ，３３ｄと、出力端子３４ａ，３４ｂと、特定広告データ制御部２３５と、を有する。実施の形態２における特定広告データ格納部２３は、実施の形態１と比較して、特定広告データ格納メモリ部２３０と、特定広告データ制御部２３５と、が異なっているため、以下、これらに関連する事項について説明する。
【００６１】
入力端子３３ａからは、特定広告データが入力され、入力された特定広告データは特定広告データ格納メモリ部２３０に記憶される。
実施の形態２における広告データ格納メモリ部２３０は、特定広告データ制御部２３５から要求に応じて、特定広告データ制御部２３５から要求された特定広告データを特定広告データ制御部２３５に出力する。
【００６２】
特定広告データ制御部２３５は、入力端子３３ｂより、特定広告データ読み出し要求を受け取る。特定広告データ制御部２３５は、受け取った特定広告データに含まれているデータＩＤで特定される特定広告データを特定広告データ格納メモリ部２３０から取得する。特定広告データ制御部２３５は、取得した特定広告データに、受け取った特定広告データに含まれている期間情報を付加して、これらのデータを出力端子３４ａから出力する。なお、期間情報については、下記にて詳細に説明する。
【００６３】
図１１は、実施の形態２における広告表示制御部２５を示す概略的なブロック図である。図示するように、広告表示制御部２５は、経路情報格納部５０と、表示期間検知用情報格納部５１と、読み出し制御部２５２と、切り替え部２５３と、入力端子５４ａ，５４ｂ，５４ｃ，５４ｄ，５４ｅ，５４ｆと、出力端子５５ａ，５５ｂ，５５ｃ，５５ｄと、を有する。実施の形態２における広告表示制御部２５は、実施の形態１と比較して、読み出し制御部２５２、及び、切り替え部２５３、が異なっているため、以下、これらに関連する事項について説明する。
【００６４】
読み出し制御部２５２は、実施の形態１と同様に、入力端子５４ｃから入力される車両状態情報に基づいて、予め定められた期間に車両があると判断した場合には、経路情報格納部５０より入力される経路情報を参照することにより、車両が次に至る場所及び車両の走行時刻を特定する情報を有する確認要求を出力端子５５ａから出力する。
実施の形態２においても、読み出し制御部２５２は、第１特定広告データ表示期間又は第２特定広告データ表示期間に車両があると判断した場合に、確認要求を出力する。
【００６５】
読み出し制御部２５２は、入力端子５４ｄを介して、特定広告データ有応答を受信した場合には、受信した特定広告データ有応答に含まれているデータＩＤを含む特定広告データ読み出し要求を、出力端子５５ｃから出力する。ここで、実施の形態２では、読み出し制御部２５２は、特定広告データ読み出し要求に、特定広告データを表示する表示期間を識別する期間情報を含める。ここで、本実施の形態では、期間情報は、確認要求を出力する際に車両があると判断した第１特定広告データ表示期間又は第２特定広告データ表示期間を識別する識別情報である。
【００６６】
読み出し制御部２５２は、実施の形態１と同様に、切り替え部２５３において、一般広告データを出力する状態か、特定広告データを出力する状態か、を特定する切り替え情報を保持している。読み出し制御部２５２は、入力端子５４ｄを介して、特定広告データ有応答を受信した場合には、切り替え情報を参照して、切り替え部２５３が一般広告データを出力する状態の場合には、切り替え部２５３に対して、切り替え信号を出力する。
そして、読み出し制御部２５２は、切り替え部２５３の状態が特定広告データを出力する状態となるように切り替え情報を更新する。
【００６７】
また、読み出し制御部２５２は、実施の形態１と同様に、入力端子５４ｄを介して、特定広告データ無応答を受信した場合には、一般広告データ読み出し要求を、出力端子５５ｂから出力する。
【００６８】
さらに、読み出し制御部２５２は、実施の形態１と同様に、入力端子５４ｄを介して、特定広告データ無応答を受信した場合には、切り替え情報を参照して、切り替え部２５３が特定広告データを出力する状態の場合には、切り替え部２５３に対して、切り替え信号を出力する。そして、読み出し制御部２５２は、切り替え部２５３の状態が一般広告データを出力する状態となるように切り替え情報を更新する。
【００６９】
また、読み出し制御部２５２は、実施の形態１と同様に、第２特定広告データ表示期間が経過した場合には、切り替え情報を参照して、切り替え部２５３が特定広告データを出力する状態の場合には、切り替え部２５３に対して、切り替え信号を出力する。
そして、読み出し制御部２５２は、切り替え部２５３の状態が一般広告データを出力する状態となるように切り替え情報を更新する。
【００７０】
さらに、実施の形態２においては、読み出し制御部２５２は、第１特定広告表示期間及び第２特定広告表示期間を管理しており、それぞれの期間の開始及び終了を切り替え部２５３に通知する。
例えば、読み出し制御部２５２は、車両が第１特定広告データ表示期間にあると判断して、特定広告データ有応答を受信した場合には、第１期間用広告データ出力開始指示を切り替え部２５３に出力する。また、読み出し制御部２５２は、第１期間用広告データ出力開始指示を出した後に、第１特定広告データ表示期間が経過した場合には、第１期間用広告データ出力終了指示を切り替え部２５３に出力する。
また、読み出し制御部２５２は、車両が第２特定広告データ表示期間にあると判断して、特定広告データ有応答を受信した場合には、第２期間用広告データ出力開始指示を切り替え部２５３に出力する。また、読み出し制御部２５２は、第２期間用広告データ出力開始指示を出した後に、第２特定広告データ表示期間が経過した場合には、第２期間用広告データ出力終了指示を切り替え部２５３に出力する。
【００７１】
図１２は、切り替え部２５３を示す概略的なブロック図である。図示するように、切り替え部２５３は、第１バッファ部５３ａと、第２バッファ部２５３ｂと、切り替え処理部２５３ｃと、切り替え制御部２５３ｄと、入力端子５３ｅ−１，２５３ｅ−２，２５３ｅ−３と、出力端子５３ｆと、を有する。実施の形態２における切り替え部２５３は、実施の形態１と比較して、第２バッファ部２５３ｂ、切り替え処理部２５３ｃ、切り替え制御部２５３ｄ及び入力端子２５３ｅ−２，２５３ｅ−３が異なっているため、以下、これらに関連する事項について説明する。
【００７２】
入力端子２５３ｅ−２からは、期間情報が付加された特定広告データが入力され、入力されたこれらのデータは、切り替え制御部２５３ｄに与えられる。
入力端子２５３ｅ−３からは、読み出し制御部２５２より出力された切り替え信号、第１期間用広告データ出力開始指示、第１期間用広告データ出力終了指示、第２期間用広告データ出力開始指示及び第２期間用広告データ出力終了指示が入力され、入力されたこれらのデータは、切り替え制御部２５３ｄに与えられる。
第２バッファ部２５３ｂは、切り替え制御部２５３ｄからの指示に応じて、切り替え制御部２５３ｄから渡される特定広告データを、切り替え制御部２５３ｄから指示される期間情報に対応付けて記憶する。
【００７３】
切り替え処理部２５３ｃは、切り替え制御部２５３ｄからの指示に応じて、データの読み出し先を第１バッファ部５３ａ及び切り替え制御部２５３ｄの間で切り替える。
そして、切り替え処理部２５３ｃは、第１バッファ部５３ａ又は切り替え制御部２５３ｄから取得した一般広告データ又は特定広告データを出力端子５５ｄに出力する。
【００７４】
切り替え制御部２５３ｄは、入力端子５４ｆから入力される特定広告データ及び期間情報を取得し、取得した特定広告データを取得した期間情報に対応付けて、第２バッファ部２５３ｂに記憶させる。
【００７５】
切り替え制御部２５３ｄは、第１バッファ部５３ａ、第２バッファ部２５３ｂ及び切り替え処理部２５３ｃを制御する。
【００７６】
例えば、切り替え制御部２５３ｄは、読み出し制御部２５２からの切り替え信号に応じて、データの読み出し先を第１バッファ部５３ａ及び切り替え制御部２５３ｄの間で切り替えるように切り替え処理部２５３ｃに指示を出す。
【００７７】
ここで、切り替え制御部２５３ｄは、一般広告データ及び特定広告データを出力している際に、読み出し制御部２５２から切り替え信号を受けた場合には、出力中のデータの出力が完了してから、データの読み出し先の切り替え指示を行う。
さらに、切り替え制御部２５３ｄは、特定広告データを出力している際に、切り替え信号を受けた場合には、第２バッファ部２５３ｂにバッファされている特定広告データがなくなってから、読み出し先の切り替えを行うようにデータの読み出し先の切り替え指示を行う。
【００７８】
実施の形態２における切り替え制御部２５３ｄは、読み出し制御部２５２より、第１期間用広告データ出力開始指示又は第２期間用広告データ出力開始指示を受けた場合には、第１特定広告データ表示期間又は第２特定広告データ表示期間を特定する期間情報に対応する特定広告データを第２バッファ部２５３ｂより取得して、取得した特定広告データを切り替え処理部２５３ｃに出力する。
【００７９】
切り替え制御部２５３ｄは、読み出し制御部２５２より、第１期間用広告データ出力終了指示又は第２期間用広告データ出力終了指示を受けた場合には、その第１特定広告データ表示期間又は第２特定広告データ表示期間を特定する期間情報に対応する特定広告データを切り替え処理部２５３ｃに出力する処理を終了する。
ここで、切り替え制御部２５３ｄは、読み出し制御部２５２より、第１期間用広告データ出力終了指示又は第２期間用広告データ出力終了指示を受けた時に、その第１特定広告データ表示期間又は第２特定広告データ表示期間を特定する期間情報に対応する特定広告データを出力中である場合には、出力中の特定広告データの出力が終わってから、出力処理を終了するのが望ましい。
さらに、切り替え制御部２５３ｄは、読み出し制御部２５２より、第１期間用広告データ出力終了指示又は第２期間用広告データ出力終了指示を受けた時に、その第１特定広告データ表示期間又は第２特定広告データ表示期間を特定する期間情報に対応する特定広告データが、第２バッファ部２５３ｂに残っている場合には、第１特定広告データ表示期間又は第２特定広告データ表示期間を特定する期間情報に対応する特定広告データの全てを出力してから、出力処理を終了するようにしてもよい。
【００８０】
一方、切り替え制御部２５３ｄは、読み出し制御部２５２より、第１期間用広告データ出力終了指示又は第２期間用広告データ出力終了指示を受ける前に、その第１特定広告データ表示期間又は第２特定広告データ表示期間を特定する期間情報に対応する特定広告データが第２バッファ部２５３ｂからなくなった場合には、予め定められたデータを切り替え処理部２５３ｃに出力する。
切り替え処理部２５３ｃに出力する予め定められたデータは、任意のデータ、例えば、第１特定広告データ表示期間又は第２特定広告データ表示期間を特定する期間情報に対応する特定広告データから予め取得していた任意の動画又は静止画、第２バッファ部２５３ｂに予め記憶されているデータ、等を用いればよい。
【００８１】
図１３（Ａ）及び（Ｂ）は、実施の形態２において、切り替えられる広告データを説明するための概略図である。
ここで、図１３では、駅Ａの発車時刻ｔｔａの前に、第１特定広告データ表示期間Ｔ１があり、駅Ａの発車時刻ｔｔａの後に、第２特定広告データ表示期間Ｔ２がある。
【００８２】
図１３（Ａ）に示すように、実施の形態２では、第１特定広告データ表示期間Ｔ１では、駅Ａに対応付けられている特定広告データＡ−１が、切り替え部２５３で読み出され、出力端子５５ｄから出力される。しかしながら、特定広告データＡ−１では、第１特定広告データ表示期間Ｔ１の時間が余るため、余った時間には、切り替え制御部２５３ｄが、予め定められたデータＣ−１を切り替え処理部２５３ｃに送り、このデータＣ−１が出力端子５５ｄから出力される。
なお、第２特定広告データ表示期間Ｔ２では、駅Ａの次に停車する駅Ｂ（図示せず）に対応付けられている特定広告データＢ−１，Ｂ−２が、切り替え部２５３で読み出され、出力端子５５ｄから出力される。
【００８３】
また、図１３（Ｂ）に示すように、例えば、速度や距離の閾値に基づいて判断した際に、第１特定広告データ表示期間Ｔ１の検知時刻ｔ１が、第１特定広告データ表示期間Ｔ１の開始時刻よりも早くなった場合でも、駅Ａに対応付けられている特定広告データＡ−１，Ａ−２が表示された後の余った時間には、切り替え制御部２５３ｄが、予め定められたデータＣ−２を切り替え処理部２５３ｃに送り、このデータＣ−２が出力端子５５ｄから出力される。
なお、第２特定広告データ表示期間Ｔ２では、駅Ａの次に停車する駅Ｂ（図示せず）に対応付けられている特定広告データＢ−１，Ｂ−２が、切り替え部２５３で読み出され、出力端子５５ｄから出力される。
【００８４】
以上のように、実施の形態２によれば、予め定められた時間や場所に対応付けられている広告データが、車両が予め定められた時間や場所にある場合に確実に表示されるので、高い広告効果をあげることができる。
【００８５】
実施の形態３．
次に、本発明における実施の形態３について説明する。
図１４は、本発明における実施の形態３に係る表示制御装置３０１を示す概略的なブロック図である。図示するように、表示制御装置３０１は、一般広告データ格納部２と、特定広告データ格納部３と、車両状態情報取得部４と、広告表示制御部５と、入力端子６ａ，６ｂ，６ｃ，６ｄ，６ｅ，６ｆと、出力端子７と、広告データ受信部３０８と、を有する。実施の形態３に係る表示制御装置３０１は、実施の形態１と比較して、広告データ受信部３０８が異なっているため、以下、これらに関連する事項について説明する。
【００８６】
広告データ受信部３０８は、一般広告データ及び特定広告データを受信し、受信した一般広告データを、一般広告データ格納部２の入力端子２１ａ（図２参照）に送り、受信した特定広告データを、特定広告データ格納部３の入力端子３３ａ（図３参照）に送る。なお、広告データ受信部３０８は、有線又は無線を介して、データを受信する。
ここで、一般広告データ及び特定広告データは、それぞれのデータを識別するためのデータＩＤにより識別される。
【００８７】
また、広告データ受信部３０８は、広告表示条件情報を受信し、受信した広告表示条件情報を特定広告データ格納部３の入力端子３３ｃ（図３参照）に送る。
ここで、広告表示条件情報は、データＩＤと、データＩＤで識別される特定広告データを表示する時間を特定する情報、及び、このデータＩＤで識別される特定広告データを表示する場所を特定する情報、の少なくとも何れか一方と、が対応付けられている。
【００８８】
例えば、広告データ受信部３０８は、受信した広告表示条件情報に含まれるデータＩＤを特定する。そして、広告データ受信部３０８は、受信したデータの内、特定されたデータＩＤで識別されるデータは特定広告データとして、特定広告データ格納部３に送り、特定されたデータＩＤとは異なるデータＩＤで識別されるデータは一般広告データとして一般広告データ格納部２に送る。
【００８９】
以上のような広告データ受信部３０８を設けたことによって、例えば、走行路線内の駅の送信設備（送信部）、その他走行途中の施設上の送信設備（送信部）から、一般広告データ、特定広告データ及び広告表示条件情報を受信することができるため、これらの情報を追加、更新することができる。
例えば、車両の走行中や停止中に、走行路線に特有な広告データを簡単かつ迅速に更新できるため、地域や時間を限定したスポット的な広告表示ができる。
【００９０】
変形例．
以上に記載した実施の形態１，２，３においては、表示期間検知用情報格納部５１に記憶される表示期間検知用情報に含まれる、第１特定広告データ表示期間の時間、第２特定広告データ表示期間の時間、速度の閾値、距離の閾値、はそれぞれ１つであっても、また、複数であってもよい。
例えば、特定の時間や特定の場所（駅）に対応付けられる特定広告データのデータ量が多い場合等には、このような特定広告データが対応付けられている時間や場所において、第１特定広告データ表示期間の時間や第２特定広告データ表示期間の時間が長くなるように、これらの時間、速度の閾値、距離の閾値等を設定しておくこともできる。
また、これらの表示期間検知用情報は、駅毎、時間毎、に異なる値となるようにしてもよく、駅の到着前の速度の閾値や距離の閾値と、駅の発車後の速度の閾値や距離の閾値と、を異なるようにしてもよい。
【００９１】
以上に記載した実施の形態１，２，３においては、駅の到着前後に特定広告表示期間を設定しているが、このような態様に限定されず、例えば、駅と駅との間の任意の時間、例えば、駅と駅との間の中間地点を含む予め定められた期間を、特定広告表示期間としてもよい。
【００９２】
以上に記載した実施の形態１，２，３においては、読み出し制御部５２、２５２は、車両が第１特定広告データ表示期間又は第２特定広告データ表示期間にある場合に、確認要求を出力しているが、このような態様に限定されず、例えば、第１特定広告データ表示期間又は第２特定広告データ表示期間から予め定められた時間前の時刻になった時点で、確認要求を出力するようにしてもよい。このような場合には、確認要求に含める走行時刻は、実際の走行時刻ではなく、第１特定広告データ表示期間又は第２特定広告データ表示期間に含まれる任意の時刻とするのが望ましい。
【００９３】
以上に記載した実施の形態３において、例えば、広告データ受信部３０８が、特定広告データのデータＩＤを特定した削除指示を受けた場合には、このような削除指示で特定されているデータＩＤで特定される特定広告データを特定広告データ格納部３から削除するようにしてもよい。
このようにすることで、例えば、表示期間が過ぎて不要となった特定広告データを容易に整理することができるようになる。
【００９４】
以上に記載した実施の形態１，２，３においては、特定広告データは、場所及び時間の両方に対応付けられており、確認要求に含まれている場所及び時刻の両方が含まれている場合に、この特定広告データが出力端子７より出力されるようになっているが、このような態様に限定されるものではない。例えば、特定広告データは、場所又は時間の片方に対応付けられていてもよい。このような場合には、確認要求に含まれる場所及び走行時刻の片方に対応付けられている特定広告データを出力端子７から出力する。
【００９５】
以上に記載した実施の形態１，２，３においては、特定広告データ表示期間において、次に停まる駅に対応付けられた特定広告データを特定広告データ格納部３，２３から読み出して出力するようにしているが、例えば、次に停まる駅に対応付けられた特定広告データが特定広告データ格納部３，２３にない場合には、車両が走行する路線においてさらに先にある駅に対応付けられた特定広告データを特定広告データ格納部３，２３から読み出して出力するようにしてもよい。
【００９６】
以上に記載した実施の形態１，２，３においては、車両は電車に限るものではない。例えば、バス等にも同様に適用可能である。車両をバスにした場合には、駅の代わりに停留所とすればよい。
【符号の説明】
【００９７】
１，３０１：表示制御装置、  ２：一般広告データ格納部、  ２０：一般広告データ格納メモリ部、  ３，２３：特定広告データ格納部、  ３０，２３０：特定広告データ格納メモリ部、  ３１：広告表示条件情報格納メモリ部、  ３２：広告表示条件情報制御部、  ２３５：特定広告データ制御部、  ４：車両情報取得部、  ５，２５：広告表示制御部、  ５０：経路情報格納部、  ５１：表示期間検知用情報格納部、  ５２，２５２：読み出し制御部、  ５３，２５３：切り替え部、  ５３ａ：第１バッファ部、  ５３ｂ，２５３ｂ：第２バッファ部、  ５３ｃ，２５３ｃ：切り替え処理部、  ５３ｄ，２５３ｄ：切り替え制御部、  ３０８：広告データ受信部。
【図１】
2013061361.tif 000003
【図２】
2013061361.tif 000004
【図３】
2013061361.tif 000005
【図４】
2013061361.tif 000006
【図５】
2013061361.tif 000007
【図６】
2013061361.tif 000008
【図７】
2013061361.tif 000009
【図８】
2013061361.tif 000010
【図９】
2013061361.tif 000011
【図１０】
2013061361.tif 000012
【図１１】
2013061361.tif 000013
【図１２】
2013061361.tif 000014
【図１３】
2013061361.tif 000015
【図１４】
2013061361.tif 000016